(57)【特許請求の範囲】
【請求項１】
空気排出口を有する蓋体と、少なくもその一部が内部透視性を有し、空気取入れ口を成す底部開口及び前記蓋体の排出口に連通する天井部の通気孔と共に、遊戯者が手を挿入する籤片取出口をも有する中空容器と、該中空容器内の空気を攪拌する送風手段と、前記中空容器に収納される多数の軽量籤片と、を備える風力抽選機において、前記送風手段が前記中空容器の底部開口に設けられた軸流ファンであって、前記蓋体の排出口に、該排出口の開口面積を全開・遮蔽自在とするための、該排出口形成面に沿って移動自在な遮蔽部材を備えること、を特徴とする風力抽選機。
【請求項２】
空気排出口を有する蓋体と、少なくもその一部が内部透視性を有し、空気取入れ口を成す底部開口及び前記蓋体の排出口に連通する天井部の通気孔と共に、遊戯者が手を挿入する籤片取出口をも有する中空容器と、該中空容器内の空気を攪拌する送風手段と、前記中空容器に収納される多数の軽量籤片と、を備える風力抽選機において、前記送風手段が前記中空容器の底部開口に設けられた軸流ファンであって、前記中空容器の天井部の通気孔に、該通気孔の開口面積を全開・遮蔽自在とするための、該天井部の通気孔表面に沿って移動自在な遮蔽部材を備えること、を特徴とする風力抽選機。
【請求項３】
前記天井通気孔部開口近傍に籤片堆積状況を検知するセンサーを備えると共に、前記遮蔽部材に連係する駆動部と、前記籤片検知センサー出力信号により該駆動部を制御する制御部とを備え、前記遮蔽部材が籤片堆積状況に応じて自動操作されるように構成されていること、を特徴とする請求項１もしくは２のいずれかに記載の風力抽選機。
【請求項４】
前記遮蔽部材は、手動操作のための摘みを有すること、を特徴とする請求項１もしくは２のいずれかに記載の抽選機。
【発明の詳細な説明】
【０００１】
【発明の属する技術分野】
本発明は、内部透視性を有する中空容器内で、送風機の空気流により浮遊・乱舞する軽量籤片を把持取得することで抽選するようにした風力抽選機に関する。
【０００２】
【従来の技術】
詳細は省略するが、空気式ゲーム装置として実公昭６２−１７８９７号公報や、特許第２７９９５５７号公報に見るように、容器内で乱舞する軽量籤片を把持することで抽選を行なうゲーム装置は多種知られている。
【０００３】
上述公知文献に見る周知技術は、容器内での空気の撹乱で籤片を乱舞させ、把持取得操作での興趣を鼓舞するために、種々工夫が成されている。その手段は、いずれも中空容器の外部に送風機が設けられ、当該容器の壁面を貫挿する通風ダクトにより、容器内に撹乱気流を送り込むようにしている。夫々、軽量籤片が縦横に浮遊・乱舞するように、容器の形状や付帯機構、空気の流入口の向きに工夫が加えられているほか、浮遊・乱舞を促し、滞留・堆積を防止する等のために、当該軽量籤片の形状等にも改善の跡は見られるが、なお、収納されている軽量籤片の浮遊や、堆積防止の面で改良の余地を残しているのが実態であった。
【０００４】
また、図５に示す本発明に係る風力抽選機１の例の外観全体や、図４の天井部３−３の通気孔３−３１に連通する蓋体２周辺を説明する略図に見るように、底部開口３−２に直接設けられた軸流ファン４を送風手段とし、容器３に収納された軽量籤片５を吹き上げ、浮遊乱舞させる構成も提案されているが、籤片５の数の変化や当該籤片５の浮遊状況によって、蓋体２の排出口２−１に連通する天井部の排出口に連通する通気孔３−３１への籤片５の堆積が進むこともあって、操作による把持取得の興趣を殺ぐことが避けられないでいるのが現実であった。
【０００５】
そして、上述籤片５の張り付きや堆積を抑制すべく、中空容器２の内部の乱流を高める為の容器内壁の構造や、送風手段である軸流ファン４の取付位置の改善等、対策は種々採られてきているが、操作の累積での籤片数の変化等も絡み、堆積排除には改善の余地が残されていた。
【０００６】
【発明が解決しようとする課題】
上述の如き従来の構成は、操作時の中空容器に収納される軽量籤片の浮遊・乱舞を確保するため、排出口に通じる天井部の通気孔への当該籤片の張り付き、堆積の抑制が課題であった。
【０００７】
【課題を解決するための手段】
本発明に成る風力抽選機は、空気排出口を有する蓋体と、少なくもその一部が内部透視性を有し、空気流入側の開口及び前記排出側の開口に連通する天井部の通気孔と共に、遊戯者が手を挿入する籤片取出口をも有する中空容器と、該中空容器内の空気を攪拌する送風手段と、前記中空容器に収納される多数の軽量籤片とを備え、前記送風手段が所定の開口に配備された軸流ファンであると共に、蓋体の排出口もしくは該排出口に連通する前記中空容器天井部の通気孔に近接して、該通気孔形成部表面に沿って、手動、もしくは天井部の通気孔に連通する排出口近傍に設けられた籤片検出センサ信号によって制御されて移動自在の、前記排出口もしくは通気孔の開口部面積を全開・遮蔽自在とする遮蔽部材を備える如く構成されている。
【０００８】
【実施例】
以下図面によって本発明の実施例を説明する。
【０００９】
図１は、本発明に係る風力抽選機１の、軽量籤片浮遊に係る蓋体２の排出口２−１を説明する透視上面略図で、蓋体２の周縁壁の、排出口２−１の開口形成部外周面に、該排出開口２−１に対応する通気孔６−１口が設けられて、周方向に移動自在の遮蔽部材６を備える様子を示している。
【００１０】
該移動自在の遮蔽部材６は、図に見るように該遮蔽部材６に連係する駆動部７と該駆動部を制御する制御部８とを備え、図４を参照し図示は省略するが、天井部の通気孔３−３１近傍に設けられた、籤片５の堆積を検知するセンサーの信号により、自動的に開口面積を制御することを可能としている。センサーの併設、遮蔽部材を移動自在に保持する手段、駆動部や制御部の構成自体は周知技術に成るものであるから、詳細は省略する。
【００１１】
また、排出口２−１の開口面積を拡大縮小全開遮蔽自在とするための、前記遮蔽部材６の移動手段は、手動とすることも可能であることは言うまでもなく、手動操作に対応するには、当該遮蔽部材６に手動操作をし易くするために、摘みを設けることが好ましい。
【００１２】
図２及び図３は、夫々上述移動自在の遮蔽部材６により、排出開口部２−１が全開状況にある様子と、半閉状況にある様子を示している。これら排出口２−１の開口面積は、籤片５の数の変化や天井部の通気孔３−３１付近での籤片５の堆積状況によって可変制御されるもので、送風手段４の速度制御等に代わって、排出口２−１の通風量を検出して、該信号を籤片浮遊確保のための制御手段として利用することも可能であることは言う迄もない。
【００１３】
また、遮蔽部材６は、上述の通り蓋体２の排出口２−１に隣接して設けることに限定されるものでは無く、中空容器天井部の通気孔３−３１に近接配置しても同じ機能・効果を得られるものであって、駆動手段や連係の構成、及び通気孔の全開・遮蔽については、夫々図１から図３に示す上述の例と類似するものであり、構成技術そのものは周知のものであるので、これを省略している。
【発明の効果】
本発明に成る風力抽選機は、上述のような構成であるので、定速駆動される送風手段の下で、容器内の空気の流れを自在とし、排出口側の開口への当該籤片の張り付き・堆積を抑制して軽量籤片の浮遊・乱舞を確保出来る効果がある。
【図面の簡単な説明】
【図１】本発明に係る風力抽選機の、軽量籤片浮遊に係る排出口を説明する透視上面略図である。
【図２】上述移動自在の遮蔽部材で開口部が全開状況にある様子を示す説明図である。
【図３】上述移動自在の遮蔽部材で開口部が半閉状況にある様子を示す説明図である。
【図４】本発明に係る風力抽選機の例の排出口近傍を示す説明図である。
【図５】本発明に係る風力抽選機の外観全体を示す略図である。
【符号の説明】
１        風力抽選機
２        蓋体
２−１    排出口
３        中空容器
３−１    円筒部
３−２    底部開口
３−３    天井部
３−３１  天井部の通気孔
３−４    取出口
４        送風手段
５        軽量籤片
６        遮蔽部材
６−１    遮蔽部材の通気孔
７        駆動部
８        制御部
【図１】
0003558335.tif 000002
【図２】
0003558335.tif 000003
【図３】
0003558335.tif 000004
【図４】
0003558335.tif 000005
【図５】
0003558335.tif 000006